(57)【要約】【課題】大きな作業負荷を要することなく画像と前方の景色とを重畳して視認できる頭部装着型表示装置を提供する。【解決手段】表示器２から出射される画像表示用光束を光学系４によりコンバイナ３に導く。コンバイナ３により光路変更される画像表示用光束とコンバイナ３を透過する光束とが、表示器２、コンバイナ３、および光学系４を保持する頭部装着体５を装着する観察者の目に導かれる。視線センサ１０により検出される観察者の頭部に対する視線方向に応じて、画像表示用光束の光路が変化するように光学系４を駆動する駆動装置４″を制御し、視線の先に画像を形成する。【選択図】図１
2006039359.tif 000002
【特許請求の範囲】
【請求項１】
画像表示用光束を出射する表示器と、
コンバイナと、
前記表示器から出射される画像表示用光束を前記コンバイナに導く光学系と、
前記表示器、コンバイナ、および光学系を保持する頭部装着体とを備え、
前記コンバイナにより光路変更される画像表示用光束と前記コンバイナを透過する光束とが、前記頭部装着体を装着する観察者の目に導かれる頭部装着型表示装置において、
前記画像表示用光束の光路が変化するように前記光学系を駆動する駆動装置と、
観察者の頭部に対する視線方向を検出する視線センサと、
視線の先に画像が形成されるように、観察者の頭部に対する視線方向に応じて前記駆動装置を制御する手段とが設けられることを特徴とする頭部装着型表示装置。
【請求項２】
前記表示器から出射される画像表示用光束を構成する光線はコリメートされている請求項１に記載の頭部装着型表示装置。
【請求項３】
観察者の頭部の設定方向に対する方向と設定位置に対する変位を検出する頭部検出センサと、
観察者の頭部に対する視線方向と前記設定方向に対する頭部の方向とから、又は、観察者の頭部に対する視線方向と前記設定方向に対する頭部の方向と前記設定位置に対する頭部の変位とから、前記設定方向に対する視線方向を演算する手段と、
前記設定方向に対する視線方向の変化に応じて前記画像表示方向が変化するように、前記表示器を制御する手段とが設けられている請求項１または２に記載の頭部装着型表示装置。
【請求項４】
前記光学系はミラーからなる請求項１〜３の中の何れかに記載の頭部装着型表示装置。
【発明の詳細な説明】
【技術分野】
【０００１】
本発明は頭部装着型表示装置に関し、例えば航空機やヘリコプタのような飛行体の搭乗員や飛行訓練用シミュレータ等の体験者が使用するのに適する。
【背景技術】
【０００２】
スクリーン上における観察者の中心視位置を視線方向や頭部方向から検出し、その検出した中心視位置に応じて画像投影装置による画像投影方向を変化させ、その中心視位置に所定の画像を形成する画像表示装置が知られている（特許文献１参照）。
【特許文献１】特開平７−１３４９７号公報
【発明の開示】
【発明が解決しようとする課題】
【０００３】
従来の画像表示装置は、固定されたスクリーン上における中心視位置に画像を形成するものである。これに対し、頭部に装着されるヘルメット等により保持されるコンバイナによって、表示器から出射される画像表示用光束の光路を変更し、観察者に導くことで画像を視認させる頭部装着型表示装置においては、画像だけでなくコンバイナを通して実在の景色も視認される。そのため、画像の結像位置が観察者に近接していると、画像と遠方の景色とに同時に焦点を合わせるのは困難ため画像と遠方の景色と同時に視認するのが困難になる。
【０００４】
また、従来の頭部装着型表示装置においては、観察者の視線が顔面の前方を向いているものとして画像表示用光束をコンバイナに導いていた。そのため、観察者が視線を顔面の前方に向けるのが困難な場合、例えば航空機のパイロットが観察者であり、加速度により頭部が傾いた状態で視線を機体前方に向けなければならない場合、観察者の視線方向の先に画像を形成することができない。
【０００５】
また、従来の頭部装着型表示装置においては、頭部及び視線の方向に応じて変化する情報に対応した画像を表示することができない。例えば航空機のパイロットが観察者である場合、パイロットの視線が機体の前方を向いているものとして他の飛行体等の視線方向に対する方向を画像情報として頭部装着型表示装置により表示する場合、視線方向や頭部の傾きや位置が変化しても画像は変化しないために正確な情報を表示できない。そのため、観察者は加速度等に抗して頭部を所定方向に向ける必要があり、大きな作業負荷に耐える必要がある。
【０００６】
さらに、従来の頭部装着型表示装置においては、画像表示用光束をコンバイナに導く光学系は、主にレンズにより構成され、収差により画像品質が低下するという問題があった。
本発明は、上記課題を解決することのできる頭部装着型表示装置を提供することを目的とする。
【課題を解決するための手段】
【０００７】
本発明は、画像表示用光束を出射する表示器と、コンバイナと、前記表示器から出射される画像表示用光束を前記コンバイナに導く光学系と、前記表示器、コンバイナ、および光学系を保持する頭部装着体とを備え、前記コンバイナにより光路変更される画像表示用光束と前記コンバイナを透過する光束とが、前記頭部装着体を装着する観察者の目に導かれる頭部装着型表示装置に適用される。
【０００８】
本発明の頭部装着型表示装置においては、前記画像表示用光束の光路が変化するように前記光学系を駆動する駆動装置と、観察者の頭部に対する視線方向を検出する視線センサと、視線の先に画像が形成されるように、観察者の頭部に対する視線方向に応じて前記駆動装置を制御する手段とが設けられている。これにより、観察者が視線を動かしても視線の先に常に画像を形成することができる。
【０００９】
本発明の一つの特徴は、前記表示器から出射される画像表示用光束を構成する光線はコリメートされている点にある。これにより、画像の結像位置を無限遠とし、観察書は画像と遠方の景色とに同時に焦点を合わせて視認できる。
【００１０】
本発明の別の一つの特徴は、観察者の頭部の設定方向に対する方向と設定位置に対する変位を検出する頭部検出センサと、観察者の頭部に対する視線方向と前記設定方向に対する頭部の方向とから、又は、観察者の頭部に対する視線方向と前記設定方向に対する頭部の方向と前記設定位置に対する頭部の変位とから、前記設定方向に対する視線方向を演算する手段と、前記設定方向に対する視線方向の変化に応じて前記画像表示方向が変化するように、前記表示器を制御する手段とが設けられている点にある。これにより、頭部の方向と位置に応じて変化する情報を視線の先に形成できる。
【００１１】
本発明のさらに別の一つの特徴は、前記光学系はミラーからなる点にある。これにより、その光学系をレンズにより構成した場合に生じる収差をなくすことができる。
【発明の効果】
【００１２】
本発明の頭部装着型表示装置によれば、大きな作業負荷を要することなく、頭部及び視線の方向に応じて変化する高品質の画像と遠方の景色とを同時に重畳して視認できる。
【発明を実施するための最良の形態】
【００１３】
図１、図２に示す頭部装着型表示装置１は、表示器２、コンバイナ３、および光学系４を保持する頭部装着体５を備える。
【００１４】
頭部装着体５は、本実施形態ではヘルメットとされ、航空機やヘリコプター等の飛行体の搭乗員に装着されるが、これに限定されるものではなく、例えば飛行訓練用シミュレータやゲーム等の仮想現実体験装置等の体験者に装着されるものでよく、また、形態もヘルメットに限定されずヘッドギヤ状、ゴーグル状、あるいはベルト状のようなものであってもよい。
【００１５】
表示器２は、本実施形態では右目と左目用とに一つ宛備え、例えばバックライト付液晶表示素子や有機ＥＬディスプレイ等の表示素子により構成され、制御装置６から送られる画像信号に応じた画像表示用光束を図中一点鎖線Ｌで示すように出射する。各表示器２から出射される画像表示用光束を構成する光線はコリメートされ、そのため、各表示器２は表示素子から出射される画像表示用光束を構成する光線をコリメートして互いに平行とするミラーにより構成される光学系（図示省略）を内蔵する。制御装置６は信号処理装置３０に接続される。信号処理装置３０は、例えばレーダーや高度計等の飛行情報３１に応じて画像信号を生成し、その画像信号を制御装置６に出力する。これにより、例えば飛行体の高度を表す情報や、他の飛行体等の方向を表す情報に対応する画像表示用光束が各表示器２から出射される。
【００１６】
光学系４は、本実施形態では右目と左目用とに一つ宛備え、複数のミラー４′からなる。一方の表示器２から出射される画像表示用光束は、一方の光学系４によりコンバイナ３に導かれ、コンバイナ３により光路変更されることで観察者の一方の目７に導かれ、他方の表示器２から出射される画像表示用光束は、他方の光学系４によりコンバイナ３に導かれ、コンバイナ３により光路変更されることで観察者の他方の目７に導かれる。
【００１７】
コンバイナ３としては、例えばヘルメットのバイザーを兼用するハーフミラーやホログラム素子を用いることができ、ハーフミラーが用いられる場合は反射により画像表示用光束の光路が変更され、ホログラム素子が用いられる場合は回折により画像表示用光束の光路が変更される。これにより、コンバイナ３により光路変更される画像表示用光束とコンバイナ３を透過する光束とが、頭部装着体５を装着する観察者の目７に導かれる。
【００１８】
ミラー４′は、それぞれ駆動装置４″を介して頭部装着体５により保持される。駆動装置４″は、例えばミラー４′の向きを変化させる微小アクチュエータにより構成され、表示器２からコンバイナ３の間における画像表示用光束の光路が変化するように光学系４を駆動する。ミラー４′と駆動装置４″は、例えば微小電子機械システム（Micro Electro
Mechanical System)によっても構成できる。
【００１９】
頭部装着体５に一対の視線センサ１０が取り付けられ、観察者の頭部に対する右目の視線方向が一方の視線センサ１０により、左目の視線方向が他方の視線センサ１０によりそれぞれ検出される。
【００２０】
駆動装置４″と視線センサ１０は制御装置６に接続される。制御装置６は、観察者の視線の先に画像が形成されるように、視線センサ１０により検出された観察者の頭部に対する視線方向に応じて駆動装置４″を制御し、観察者が視線を動かしても視線の先に常に画像を形成する。例えば、図３に示すように、観察者の頭部に対する視線方向が顔面の前方を向く場合、一方の表示器２から出射される画像表示用光束Ｌ１が顔面の前方に向かい進行して左目の視線の先でコンバイナ３により光路変更されるようにミラー４′の向きが駆動装置４″により変更され、他方の表示器２から出射される画像表示用光束Ｌ２が顔面の前方に向かい進行して右目の視線の先でコンバイナ３により光路変更されるようにミラー４′の向きが駆動装置４″により変更される。図４に示すように、観察者の頭部に対する視線方向が顔面の左方を向く場合、一方の表示器２から出射される画像表示用光束Ｌ１が左目の視線の先でコンバイナ３により光路変更されるようにミラー４′の向きが駆動装置４″により変更される。図示例の場合、右目の視線の先が、自分の鼻等による視認不可の領域であるため、他方の表示器２から画像表示用光束は出射されないが、視認可能な領域であれば、他方の表示器２からの画像表示用光束により画像を形成するようにしてもよい。図５に示すように、観察者の頭部に対する視線方向が顔面の右方を向く場合、他方の表示器２から出射される画像表示用光束Ｌ２が右目の視線の先でコンバイナ３により光路変更されるようにミラー４′の向きが駆動装置４″により変更され、図示例の場合、左目の視線の先が、自分の鼻等による視認不可の領域であるため、他方の表示器２から画像表示用光束は出射されないが、視認可能な領域であれば、他方の表示器２からの画像表示用光束により画像を形成するようにしてもよい。
【００２１】
観察者の頭部の設定方向に対する方向と設定位置に対する変位を検出する頭部検出センサとして、ヘッドモーショントラッカ２０が設けられている。ヘッドモーショントラッカ２０は、頭部装着体５に取り付けられるセンサ２０ａと、飛行体の機体側に取り付けられるソース２０ｂ及び信号処理装置３０内にあるヘッドモーショントラッカ信号処理回路２０ｃから構成され、そのセンサ２０ａでソース２０ｂの信号を検知し、制御装置６を経由してヘッドモーショントラッカ信号処理回路２０ｃに送り、信号処理して、予め定めた設定方向と設定位置に対する観察者の頭部の方向と変位を算出する。例えば、飛行体の前方が設定方向とされ、その設定方向に対して観察者の顔面が向く方向が設定方向に対する観察者の頭部の方向とされ、飛行体の頭部設計ノミナル位置が設定位置とされる。なお、ヘッドモーショントラッカ２０は、信号処理回路２０ｃからの駆動信号に応じてソース２０ｂが発生する基準磁界信号をセンサ２０ａにより検出する磁気方式にて構成する例を示したが、光学方式等の他の方式でもよい。
【００２２】
制御装置６は、視線センサ１０により検出された観察者の頭部に対する視線方向と、ヘッドモーショントラッカ２０により検出された設定方向に対する観察者の頭部の方向と設定位置に対する変位から、その設定方向に対する視線方向を演算する。なお、制御装置６は、視線センサ１０により検出された観察者の頭部に対する視線方向と、ヘッドモーショントラッカ２０により検出された設定方向に対する観察者の頭部の方向とから、その設定方向に対する視線方向を演算してもよい。制御装置６は、その設定方向に対する視線方向の変化に応じて画像表示方向が変化するように表示器２及び駆動装置４″を制御する。例えば、飛行体の進行方向の右方３０度に他の飛行体が存在する時に視線方向に対する他の飛行体の方向を表す画像情報を表示する場合において、観察者の頭部に対する視線方向が当初は顔面の前方を向き後に顔面の右方１５度を向き、観察者の頭部が設定方向に対して当初は設定方向を向き後に左方２０度を向き、観察者の頭部は設定位置から変位しないものとする。この場合、設定方向に対する視線方向は当初は零度で後に左方５度であるから、当初は別の飛行体が視線方向に対して右方３０度の位置に存在することを表す画像を表示し、後に視線方向に対して右方３５度の位置に存在することを表す画像を表示する。これにより、観察者は加速度に抗して頭部を所定方向に向ける必要がなく、特に飛行中に大きな加速度を受ける航空機においてパイロットの負荷を軽減できる。
【００２３】
上記実施形態によれば、観察者が視線を動かしても視線の先に常に画像を形成することができ、また、表示器２から出射される画像表示用光束を構成する光線はコリメートされているので、その画像の結像位置を無限遠とし、観察書は画像と遠方の景色との同時視認を容易に行え、さらに、作業負荷を要することなく頭部及び視線の方向に応じて変化する情報を画像として正確に表示できる。しかも、光学系４はミラー４′からなるので光学系４を主にレンズにより構成する場合に生じる収差をなくすことができ、高品質な画像を表示できる。
【００２４】
本発明は上記実施形態に限定されない。例えば、表示器２および光学系４を右目用と左目用とに２つ宛以上とし表示範囲を拡大してもよいし、右目用と左目用の区別なく一つ宛以上としてもよい。また、光学系４を構成するミラーの数は特に限定されず、ミラーの全てが駆動装置により駆動される必要はなく一部が頭部装着体５に固定されてもよく、さらに、ミラーの全部あるいは一部に代えてレンズやプリズム等の他の光学素子を用いて画像表示光の光路を変化させてもよい。また、例えば制御装置６にモード切換スイッチの操作信号が入力されることで、視線方向が変化しても光学系４が駆動されずに画像表示光を常に正面に投影し、頭部に対して一定方向に画像が形成されるモードを有するようにしてもよい。また、信号処理装置３０と制御装置６を統合した形態でもよい。
【図面の簡単な説明】
【００２５】
【図１】本発明の実施形態の頭部装着型表示装置の側面視での構成説明図
【図２】本発明の実施形態の頭部装着型表示装置の平面視での構成説明図
【図３】本発明の実施形態の頭部装着型表示装置において観察者の視線方向が正面向きの場合の作用説明図
【図４】本発明の実施形態の頭部装着型表示装置において観察者の視線方向が左方向きの場合の作用説明図
【図５】本発明の実施形態の頭部装着型表示装置において観察者の視線方向が右方向きの場合の作用説明図
【符号の説明】
【００２６】
１  頭部装着型表示装置
２  表示器
３  コンバイナ
４  光学系
４′  ミラー
４″  駆動装置
５  頭部装着体
６  制御装置
１０  視線センサ
２０  ヘッドモーショントラッカ（頭部検出センサ）
３０  信号処理装置
【図１】
2006039359.tif 000003
【図２】
2006039359.tif 000004
【図３】
2006039359.tif 000005
【図４】
2006039359.tif 000006
【図５】
2006039359.tif 000007